(57)【要約】【課題】傾斜屋根の屋根勾配等に合わせた妻梁の切り欠き加工を不要または容易とすることで、施工性のよい屋外構造体を提供する。【解決手段】傾斜屋根３１上に配置される屋外構造体１０であって、前記傾斜屋根３１上において建物開口の両側下部から屋外側に水平に突出して設けられる妻梁２０を備え、前記妻梁２０は、建物躯体３０に固定される支持部材２１と、前記支持部材２１の下方に垂下する板状の化粧部材２２と、を備えており、前記化粧部材２２は、前記支持部材２１に対して着脱自在に係合する。【選択図】図５
2014066072.tif 000002
【特許請求の範囲】
【請求項１】
傾斜屋根上に配置される屋外構造体であって、
前記傾斜屋根上において建物開口の両側下部から屋外側に水平に突出して設けられる妻梁を備え、
前記妻梁は、建物躯体に固定される支持部材と、前記支持部材の下方に垂下する板状の化粧部材と、を備え、
前記化粧部材は、前記支持部材に対して着脱自在に係合することを特徴とする、屋外構造体。
【請求項２】
前記支持部材を前記建物躯体に固定する取付金具は、前記支持部材の上下幅に収まる寸法で形成されていることを特徴とする、請求項１記載の屋外構造体。
【請求項３】
前記化粧部材を取り付けた前記妻梁の幅は、前記屋外構造体の前桁と略同じ幅に形成されていることを特徴とする、請求項１又は２記載の屋外構造体。
【発明の詳細な説明】
【技術分野】
【０００１】
本発明は、傾斜屋根上に配置されるバルコニーなどの屋外構造体に関し、特に妻梁の構造に特徴を有する屋外構造体に関する。
【背景技術】
【０００２】
従来、バルコニーなどの屋外構造体においては、窓などの開口部の両側下部から屋外側に妻梁を突出して設け、この妻梁によって荷重を支持している。こうしたバルコニーを傾斜屋根上に設ける場合、傾斜屋根や障害物を避けるために妻梁の基端側を切り欠くなどの加工が必要となる場合がある。例えば、窓開口の下端から屋根面までの上下幅が狭い場合、この狭い部分に妻梁を入り込ませることができないため、妻梁の開口部側の端部において、下部を切り欠き加工する必要がある。
【０００３】
例えば特許文献１には、妻梁の後端部において下半部を切り欠き、障害物を逃げるようにした構造が開示されている（段落００３４、図５等参照）。
【先行技術文献】
【特許文献】
【０００４】
【特許文献１】特開平１０−８２０９１号公報
【発明の概要】
【発明が解決しようとする課題】
【０００５】
しかしながら、特許文献１記載のように切り欠き加工を予め施してしまうと、障害物の有無や大きさに関わらず切り欠きの大きさが予め決められるため、屋根面と妻梁との間に隙間ができてしまい、見栄えが悪くなってしまう。また、切り欠きの大きさが障害物に比べて小さい場合には、障害物の大きさに合わせた切り欠き加工が現場で必要となり、余計な加工作業が発生して二度手間となるという問題があった。
【０００６】
一方、予め切り欠き加工を施さずに屋根面の高さなどに合わせて現場で妻梁の切り欠き加工を行うようにすればこのような問題は発生しないが、現場で妻梁の切り欠き加工を行うこととすると、妻梁が立体的な形状をしているため複雑な作業が発生してしまう。このため、加工のための作業コストが増加するという問題があった。
【０００７】
そこで、本発明は、傾斜屋根の屋根勾配等に合わせた妻梁の切り欠き加工を不要または容易とすることで、施工性のよい屋外構造体を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の屋外構造体は、傾斜屋根上に配置される屋外構造体であって、前記傾斜屋根上において建物開口の両側下部から屋外側に水平に突出して設けられる妻梁を備え、前記妻梁は、建物躯体に固定される支持部材と、前記支持部材の下方に垂下する板状の化粧部材と、を備え、前記化粧部材は、前記支持部材に対して着脱自在に係合することを特徴とする。
【００１１】
（請求項２）
請求項２に記載の発明は、上記した請求項１記載の発明の特徴点に加え、以下の点を特徴とする。
【００１２】
すなわち、前記支持部材を前記建物躯体に固定する取付金具は、前記支持部材の上下幅に収まる寸法で形成されていることを特徴とする。
【００１３】
（請求項３）
請求項３に記載の発明は、上記した請求項１又は２記載の発明の特徴点に加え、以下の点を特徴とする。
【００１４】
すなわち、前記化粧部材を取り付けた前記妻梁の幅は、前記屋外構造体の前桁と略同じ幅に形成されていることを特徴とする。
【発明の効果】
【００１５】
請求項１に記載の発明は上記の通りであり、妻梁は、建物躯体に固定される支持部材と、前記支持部材の下方に垂下する板状の化粧部材と、を備えており、前記化粧部材は、前記支持部材に対して着脱自在に係合する。すなわち、荷重を支える支持部材とは別に化粧部材を備えているため、傾斜屋根の屋根勾配等に合わせた妻梁の切り欠き加工を不要または容易とすることができる。
【００１６】
例えば、化粧部材を取り外した状態で使用すれば、妻梁による荷重支持に必要な部材（上下幅の小さい支持部材）のみを使用することで、妻梁の切り欠き加工を不要とすることができる。
【００１７】
また、妻梁を切り欠いて使用する場合でも、化粧部材を取り外して加工すればよい。化粧部材は板状であり、構造が簡素であるため加工は容易である。そして、加工した化粧部材を支持部材に係合させることで、下部に切り欠きを形成した妻梁を容易に得ることができる。
【００１８】
また、この妻梁は屋根置き式の屋外構造体に特化した構造であるため、従来の妻梁のように雨樋機能を設ける必要がないので、簡素な構造とすることができ、材料費や加工費を低減することができる。
【００１９】
また、請求項２に記載の発明は上記の通りであり、前記支持部材を前記建物躯体に固定する取付金具は、前記支持部材の上下幅に収まる寸法で形成されている。このため、取付金具が支持部材からはみ出さない大きさであるので、加工した化粧部材に合わせて取付金具を加工する必要がなく、取付金具の現場加工発生率を低減させることができる。
【００２０】
また、請求項３に記載の発明は上記の通りであり、前記化粧部材を取り付けた前記妻梁の幅は、前記屋外構造体の前桁と略同じ幅に形成されているので、正面の前桁と同じ上下幅で側面に妻梁が連続する統一感のあるデザインを提供でき、意匠性を高めることができる。
【図面の簡単な説明】
【００２１】
【図１】バルコニーの平面断面図である。
【図２】図１のＡ−Ａ'断面図である。
【図３】図１のＢ−Ｂ'断面図である。
【図４】バルコニーの側面断面図である。
【図５】妻梁の正面図であって、（ａ）化粧部材を取り付けた図、（ｂ）化粧部材を取り外した図である。
【図６】妻梁の外観斜視図であって、化粧部材を切り欠き加工した様子を示す図である。
【図７】バルコニーの側面図である。
【発明を実施するための形態】
【００２２】
本発明の実施形態について、屋外構造体としてのバルコニー１０を例に説明する。
【００２３】
本実施形態に係るバルコニー１０は、図７に示すように、階上部の窓開口の屋外側において、傾斜屋根３１の上に配置されるものである。このバルコニー１０は、図１に示すように、傾斜屋根３１上において建物開口の両側下部から屋外側に水平に突出して設けられる妻梁２０と、建物躯体３０に沿って窓開口の下部に固定される根太掛け１１と、この根太掛け１１の上に固定されて屋外方向に突出する根太１２と、バルコニー１０の屋外側先端において立設する柱１４と、柱１４と柱１４との間に架設される前桁１６と、バルコニー１０の床面を構成する床材１７と、手すり１８と、を備えて構成される。
【００２４】
妻梁２０は、床材１７の端部荷重を支持する部材であり、屋内側の端部が取付金具２５によって建物躯体３０に固定されるとともに、屋外側の端部が取付金具２５によって柱１４に固定されて支持されている。この妻梁２０の詳しい構成については後ほど詳述する。
【００２５】
根太掛け１１は、建物躯体３０に沿って水平方向に取り付けられる部材であり、根太１２の端部を載置して固定できるように屋外側に張り出した突出縁部１１ａを備えている。
【００２６】
根太１２は、床材１７の荷重を下方から支持するための部材であり、屋内側の端部が根太固定金具１３によって根太掛け１１に固定されるとともに、屋外側の端部が根太固定金具１３によって前桁１６に固定されて支持されている。
【００２７】
柱１４は、バルコニー１０の屋外側先端において荷重を支持するための部材であり、下端部に設けられた台部１４ａによって屋根面の上に載置、固定される。この柱１４と柱１４との間、及び、柱１４と建物躯体３０との間には、落下防止のために格子材１５が設けられている。この格子材１５は、前桁１６または妻梁２０に固定され、この格子材１５の上端には手すり１８が取り付けられる。なお、本実施形態においては格子材１５を使用したが、本発明の実施形態としてはこれに限らず、格子材１５以外の面材を格子材１５の代わりに使用してもよい。
【００２８】
前桁１６は、柱１４と柱１４との間に架設されるものであって、両端部がそれぞれ柱１４の対向する面に固定されて支持される。この前桁１６は、バルコニー１０の前面下部を覆うように設けられる。
【００２９】
床材１７は、例えば内部を中空にした合成樹脂製の細長板状成形体であり、両端部が妻梁２０で支持されるとともに、下部を根太１２で支持されている。この床材１７は、図４に示すように、隣接する床材１７の間に隙間ができないように互いに係合して配置され、バルコニー１０の床面を形成している。
【００３０】
次に、本実施形態に係る妻梁２０について詳述する。
【００３１】
本実施形態に係る妻梁２０は、図５に示すように、支持部材２１と、化粧部材２２と、押え材２３と、の３つの独立した部材からなっている。
【００３２】
支持部材２１は、建物躯体３０に固定されて床材１７の端部荷重を支持する部材である。この支持部材２１は、バルコニー１０の側面において露出する側壁部２１ａと、側壁部２１ａの上端に形成された押え材接続部２１ｂと、側壁部２１ａの下端付近から略水平に張り出した支持片２１ｃと、支持片２１ｃの下面側に凹設された係合凹部２１ｄと、係合凹部２１ｄの両側の開口縁に形成された係合爪２１ｅと、を備えている。
【００３３】
押え材接続部２１ｂは、支持部材２１に押え材２３を連結するためのフィン状部であり、図示しないネジ孔が形成されている。後述する押え材２３の上板部２３ａには、このネジ孔と対応する位置にネジ孔が形成されており、この２つのネジ孔を貫通するようにネジを螺合することで支持部材２１と押え材２３とを連結可能となっている。
【００３４】
支持片２１ｃは、図２及び図３が示すように、床材１７の端部を載置するために張り出して形成された部位である。
【００３５】
係合凹部２１ｄは、化粧部材２２を装着するためのものである。後述する化粧部材２２の被係合部２２ａをこの係合凹部２１ｄに挿入すると、挿入された被係合部２２ａが係合凹部２１ｄ両側に設けられた係合爪２１ｅに係合するように形成されている。
【００３６】
化粧部材２２は、支持部材２１の下方に垂下する板状部材であり、バルコニー１０の側面において露出する化粧部２２ｂと、化粧部２２ｂの上端において略Ｌ字形に形成された被係合部２２ａと、を備えている。
【００３７】
被係合部２２ａは、上述したように、支持部材２１の係合凹部２１ｄに係合させるための部位であり、この被係合部２２ａを係合凹部２１ｄに係脱させることで、化粧部材２２は支持部材２１に対して着脱自在となっている。なお、化粧部材２２を支持部材２１に装着すると、図５（ａ）に示すように、支持部材２１の側壁部２１ａと化粧部材２２の化粧部２２ｂとが略面一となるように形成されている。
【００３８】
押え材２３は、支持部材２１の支持片２１ｃに載置された床材１７を上方から押さえつけて支持するための部材である。この押え材２３は、支持部材２１と連結するためのネジ孔を形成した上板部２３ａと、上板部２３ａの端部から垂下して設けられる垂下部２３ｂと、を備えている。
【００３９】
この押え材２３は、支持部材２１の支持片２１ｃに床材１７を載置したのちに、支持部材２１にネジで取り付けられる。押え材２３を支持部材２１に取り付けることで、垂下部２３ｂの下端部で床材１７を上方から押し付けることができ、支持部材２１と押え材２３とで床材１７を狭持して固定できるように形成されている。
【００４０】
上記したような妻梁２０において、傾斜屋根３１の屋根勾配等に合わせた切り欠き加工が必要となった場合には、図６に示すように、まず支持部材２１から化粧部材２２を取り外す。そして、化粧部材２２の屋内側の端部において下方を切り欠き加工する。そして、切り欠き加工を施した化粧部材２２を支持部材２１に装着すればよい。本実施形態においては、支持部材２１は床材１７を支持するために必要な最低限の高さとなっており、支持部材２１に加工が発生することはほとんどないので、このように化粧部材２２のみを加工すれば、妻梁２０の形状を傾斜屋根３１の屋根勾配等に合わせることができる。
【００４１】
なお、上記した妻梁２０は、図２及び図３に示すように、支持部材２１の上下幅に収まる寸法で形成された取付金具２５によって建物躯体３０及び柱１４に固定されている。このため、化粧部材２２を加工しなければならない場合でも、取付金具２５を加工する必要がない。
【００４２】
また、この妻梁２０は、屋根置式であるので雨樋機能が不要である。このため、支持部材２１の下部には雨樋機能が設けられておらず、床下部に不要な構造が存在しない。このため、支持部材２１の上下幅を床材１７の荷重を支持するために必要な最小幅とすることができる。このような構造を採用することで、雨樋機能を有する妻梁を使用した場合と比較して、屋根面等と干渉しづらく、また、材料費や加工費を低減できるようになっている。
【００４３】
また、本実施形態に係る妻梁２０の幅Ｗは、図４に示すように、支持部材２１に化粧部材２２を取り付けた状態において、前桁１６と略同じ上下幅となっている。すなわち、前桁１６の上下幅に合わせて妻梁２０の幅を設定しており、バルコニー１０の下部構造が連続する前桁１６と妻梁２０とで隠されて見栄えがよいものとなっている。このとき、妻梁２０の上下幅は化粧部材２２の長さを変えることで容易に調整が可能である。また、妻梁２０の上下幅を大きくすると屋根面との干渉が発生する可能性があるが、この干渉は化粧部材２２を加工することで容易に回避することができる。
【００４４】
なお、上記した実施形態においては、屋根面などと干渉した場合に、加工した化粧部材２２を支持部材２１に装着して使用することとしたが、これに限らず、化粧部材２２を取り外した状態で妻梁２０を使用してもよい。
【００４５】
本実施形態は上記の通りであり、妻梁２０は、建物躯体３０に固定される支持部材２１と、支持部材２１の下方に垂下する板状の化粧部材２２と、を備えており、化粧部材２２は、支持部材２１に対して着脱自在に係合する。すなわち、荷重を支える支持部材２１とは別に化粧部材２２を備えているため、傾斜屋根３１の屋根勾配等に合わせた妻梁２０の切り欠き加工を不要または容易とすることができる。
【００４６】
例えば、妻梁２０による荷重の支持という観点から見れば、化粧部材２２を取り外した状態で使用することも可能であるので、この場合には上下幅の小さい支持部材２１のみを使用することで妻梁２０の切り欠き加工を不要とすることができる。
【００４７】
また、妻梁２０を切り欠いて使用する場合でも、化粧部材２２を取り外して加工すればよい。化粧部材２２は板状であり、構造が簡素であるため加工は容易である。そして、加工した化粧部材２２を支持部材２１に係合させてネジ２４で固定することで、下部に切り欠きを形成した妻梁２０を容易に得ることができる。
【００４８】
また、この妻梁２０は屋根置き式の屋外構造体に特化した構造であるため、従来の妻梁２０のように雨樋機能を設ける必要がないので、簡素な構造とすることができ、材料費や加工費を低減することができる。
【００４９】
また、支持部材２１を建物躯体３０に固定する取付金具２５は、支持部材２１の上下幅に収まる寸法で形成されている。このため、取付金具２５が支持部材２１からはみ出さない大きさであるので、加工した化粧部材２２に合わせて取付金具２５を加工する必要がなく、取付金具２５の現場加工発生率を低減させることができる。
【００５０】
また、化粧部材２２を取り付けた妻梁２０の幅は、バルコニー１０の前桁１６と略同じ幅に形成されているので、正面の前桁１６と同じ上下幅で側面に妻梁２０が連続する統一感のあるデザインを提供でき、意匠性を高めることができる。
【符号の説明】
【００５１】
１０  バルコニー（屋外構造体）
１１  根太掛け
１１ａ  突出縁部
１２  根太
１３  根太固定金具
１４  柱
１４ａ  台部
１５  格子材
１６  前桁
１７  床材
１８  手すり
２０  妻梁
２１  支持部材
２１ａ  側壁部
２１ｂ  押え材接続部
２１ｃ  支持片
２１ｄ  係合凹部
２１ｅ  係合爪
２２  化粧部材
２２ａ  被係合部
２２ｂ  化粧部
２３  押え材
２３ａ  上板部
２３ｂ  垂下部
２４  ネジ
２５  取付金具
３０  建物躯体
３１  傾斜屋根
Ｗ  妻梁の幅
【図１】
2014066072.tif 000003
【図２】
2014066072.tif 000004
【図３】
2014066072.tif 000005
【図４】
2014066072.tif 000006
【図５】
2014066072.tif 000007
【図６】
2014066072.tif 000008
【図７】
2014066072.tif 000009